(57)【特許請求の範囲】
【請求項１】
体液を透過する液透過性の表面シートと、液不透過性シートと、これらの間に介在され前記表面シートを透過した体液を吸収する綿状パルプを有する吸収体とを備えた使い捨て吸収性物品において、
前記吸収体は、下層吸収体及びその上に配置された上層吸収体を有し、
前記上層吸収体として、前身頃に前上層吸収体を有し、
前記前上層吸収体は、前後方向前側から後側に窄まるＶ字状またはＵ字状に連続する壁部を、前記前上層吸収体の後側端縁に有し、
前記壁部の左右傾斜部は、着用者の左右鼠径部に沿う傾斜を有し、着用者の左右鼠径部と当接する位置関係にあることを特徴とする使い捨て吸収性物品。
【請求項２】
体液を透過する液透過性の表面シートと、液不透過性シートと、これらの間に介在され前記表面シートを透過した体液を吸収する綿状パルプを有する吸収体とを備えた使い捨て吸収性物品において、
前記吸収体は、下層吸収体及びその上に配置された上層吸収体を有し、
前記上層吸収体として、前身頃に位置する前上層吸収体と、後上層吸収体を有し、
前記前上層吸収体は、前後方向前側から後側に窄まるＶ字状またはＵ字状に連続する壁部を、前記前上層吸収体の後側端縁に有し、
前記後上層吸収体は、前記壁部より後側に位置し、
前記壁部の左右傾斜部は、着用者の左右鼠径部に沿う傾斜を有し、着用者の左右鼠径部と当接する位置関係にあることを特徴とする使い捨て吸収性物品。
【請求項３】
前記前上層吸収体は、Ｖ字状またはＵ字状をなし、Ｖ字またはＵ字の内側の縁で囲まれる領域に下層吸収体が位置している請求項１または２記載の使い捨て吸収性物品。
【請求項４】
前記壁部の幅方向中央領域に、前記前上層吸収体の後方壁と前記後上層吸収体の前方壁とで区画される上層吸収体が存在しないポケットが形成されている請求項２記載の使い捨て吸収性物品。
【請求項５】
前記下層吸収体の幅方向中間部において、前記前上層吸収体と少なくとも一部が重なって、前後方向に延びるスリットを有する請求項１または２記載の使い捨て吸収性物品。
【発明の詳細な説明】
【技術分野】
【０００１】
本発明は、使い捨て吸収性物品に関するものであり、より詳しくは、それ自体で着用される使い捨ておむつを対象とする場合のほか、大人用などの使い捨ておむつ内に配置されるいわゆるパッドを対象とする場合を含む。
そして、本発明の使い捨て吸収性物品は、着用者の下腹部の肌面と吸収体との離間を抑制でき、尿もれがしにくいものに係るものである。
【背景技術】
【０００２】
この種の使い捨て吸収性物品を着用した場合、股間部に配した吸収体が両脚間で挟み込まれる。その結果、吸収体の挟み込みに伴う股間部の変形が、吸収体の前身頃側の中心領域を着用者の肌から離間させる方向に作用することが多い。この状態で、着用者による排尿があると、吸収体の前身頃側の中心流域と着用者の肌との離間が主原因となって、体を横にしている場合に多い現象として、腹側での尿もれが発生する。
【０００３】
下記特許文献１では、コアを除く表裏面シートから形成されて該コアに囲まれた縦方向へ延びるパッド配置部を前後胴周り域と股下域との少なくとも該股下域の横方向中央に設け、パッド配置部が後胴周り域の側に位置する該パッド配置部の後端縁から二股に分かれてテープファスナに向かって延びる一対の第１延長部分を有する使い捨て吸収性物品が開示されている。当該使い捨て吸収性物品によれば、テープファスナの自由端部を前胴周り域の外面に止着するおむつの着用時やテープファスナを介して前後胴周り域を連結したおむつ着用中に、後胴周り域の側に延びる配置部が引っ張られ、配置部が緊張することによって配置部に乗せられたパッドが着用者の肌に押し当てられる。その結果、その着用時や着用中にパッドを着用者の肌に密着させることができ、パッドと着用者の肌との間に隙間が生じることはなく、パッドに排泄物を確実に吸収、保持させることができるとしている。
【０００４】
また、下記特許文献２には、中央部の長さ方向一部分を隆起させ、糸ゴムを追加したおむつが開示されている。
【特許文献１】特開２００５−３２３６８５号公報
【特許文献２】特開２００１−２２４６２８号公報
【発明の開示】
【発明が解決しようとする課題】
【０００５】
しかし、特許文献１に開示の使い捨て吸収性物品は、股間部に配したパッドが脚で挟み込まれることによる、前述の問題の解消に到っていないと考えられる。
また、特許文献２に開示のおむつについても、パッド部材が着用者の肌面に密着せず隙間が生じ、尿の漏れ出しが発生してしまうおそれがあることは同様である。
【０００６】
そこで、本発明の主たる目的は、着用者の下腹部の肌面と吸収体との離間を抑制でき、尿もれがしにくい使い捨て吸収性物品を提供することにある。
【課題を解決するための手段】
【０００７】
上記課題を解決した本発明は次記のとおりである。
＜請求項１記載の発明＞
体液を透過する液透過性の表面シートと、液不透過性シートと、これらの間に介在され前記表面シートを透過した体液を吸収する綿状パルプを有する吸収体とを備えた使い捨て吸収性物品において、
前記吸収体は、下層吸収体及びその上に配置された上層吸収体を有し、
前記上層吸収体として、前身頃に前上層吸収体を有し、
前記前上層吸収体は、前後方向前側から後側に窄まるＶ字状またはＵ字状に連続する壁部を、前記前上層吸収体の後側端縁に有し、
前記壁部の左右傾斜部は、着用者の左右鼠径部に沿う傾斜を有し、着用者の左右鼠径部と当接する位置関係にあることを特徴とする使い捨て吸収性物品。
【０００８】
（作用効果）
前身頃側に前上層吸収体を有する。前身頃側に設けられた前上層吸収体は、排尿領域に位置するので、前上層吸収体を設けない場合に比較して吸収量を多くできる。
本発明にかかる使い捨て吸収性物品を着用した場合、それ自体の腰回りの止着によって、あるいはパッドの場合、これを外方から覆う使い捨ておむつの腰回りの止着によって、表面シートおよび液不透過性シートが幅方向中心側から幅方向の左右外側へ引っ張られる。本来ならば、その力を受けて、前上層吸収体が幅方向中心側から幅方向の左右外側へ引っ張られるので、前上層吸収体が着用者の肌側に密着する方向の力が作用し、前上層吸収体と着用者の肌との離間は少ないはずである。
しかし、吸収体の股間部領域が両脚間で挟み込まれる結果、吸収体の挟み込みに伴う股間部の変形が、前上層吸収体を着用者の肌から離間させる方向に作用することが多い。この状態で、着用者による排尿があると、吸収体の前身頃側の中心流域と着用者の肌との離間が主原因となって、体を横にしている場合に多い現象として、腹側での尿もれが発生するのである。
しかるに、本発明に従って、前上層吸収体は、前後方向中心側に窄まるほぼＶ字状またはＵ字状に連続する壁部を有している。この壁部を有することの意味は、後側に吸収体が存在しないか、後上層吸収体が存在するとしても、縁が切れていることを意味する。
このように、前上層吸収体のみが存在し、もってその壁部が存在するだけで、後側に後上層吸収体が存在しない、あるいは後上層吸収体が存在するとしても、前上層吸収体は後上層吸収体と縁が切れているので、吸収体が両脚間で挟み込まれ、その挟み込みに伴う股間部の変形が、前上層吸収体側に伝搬しないようになる。その結果、前上層吸収体は、ほぼその形状を保持しながら着用者の肌側に膨らむように変形するので、それらの間が離間することを抑制でき、体を横にしている場合における、腹側での尿もれを防止できる。
また、壁部の左右傾斜部を着用者の左右鼠径部に対応させたため、着用者の左右鼠径部間の前上層吸収体が着用者の下腹部に対応し、肌面と使い捨て吸収性物品の密着性が向上し、尿もれがしにくくなる。
【０００９】
＜請求項２記載の発明＞
体液を透過する液透過性の表面シートと、液不透過性シートと、これらの間に介在され前記表面シートを透過した体液を吸収する綿状パルプを有する吸収体とを備えた使い捨て吸収性物品において、
前記吸収体は、下層吸収体及びその上に配置された上層吸収体を有し、
前記上層吸収体として、前身頃に位置する前上層吸収体と、後上層吸収体を有し、
前記前上層吸収体は、前後方向前側から後側に窄まるＶ字状またはＵ字状に連続する壁部を、前記前上層吸収体の後側端縁に有し、
前記後上層吸収体は、前記壁部より後側に位置し、
前記壁部の左右傾斜部は、着用者の左右鼠径部に沿う傾斜を有し、着用者の左右鼠径部と当接する位置関係にあることを特徴とする使い捨て吸収性物品。
【００１０】
（作用効果）
後上層吸収体を設けることで、吸収容量の多いものとなり、長時間の使用に耐え得るものとなる。この形態においては、後上層吸収体が存在するとしても、前上層吸収体は後上層吸収体と縁が切れているので、後上層吸収体が両脚間で挟み込まれ、その挟み込みに伴う後上層吸収体の変形が、前上層吸収体側に伝搬しないようになる。その結果、前上層吸収体は、ほぼその形状を保持しながら着用者の肌側に膨らむように変形するので、それらの間が離間することを抑制でき、体を横にしている場合における、腹側での尿もれを防止できる。
また、壁部の左右傾斜部を着用者の左右鼠径部に対応させたため、着用者の左右鼠径部間の前上層吸収体が着用者の下腹部に対応し、肌面と使い捨て吸収性物品の密着性が向上し、尿もれがしにくくなる。
【００１１】
＜請求項３記載の発明＞
前記前上層吸収体は、Ｖ字状またはＵ字状をなし、Ｖ字またはＵ字の内側の縁で囲まれる領域に下層吸収体が位置している請求項１または２記載の使い捨て吸収性物品。
【００１２】
（作用効果）
Ｖ字またはＵ字の内側の縁で囲まれる領域に下層吸収体が臨んでいることで、着用時点では、Ｖ字またはＵ字で囲まれる領域の下層吸収体が着用者の肌側に膨らむようになり、着用者の肌面と使い捨て吸収性物品の離間を抑制でき、尿もれがしにくくなる。
【００１３】
＜請求項４記載の発明＞
前記壁部の幅方向中央領域に、前記前上層吸収体の後方壁と前記後上層吸収体の前方壁とで区画される上層吸収体が存在しないポケットが形成されている請求項２記載の使い捨て吸収性物品。
【００１４】
（作用効果）
着用者が男性の場合には、陰茎により吸収体と着用者の身体との間に隙間が生じやすい。そのため、上層吸収体が存在しないポケットを設けることで、陰茎による吸収体と着用者の身体との間の隙間の発生を抑制し、尿もれを防止することができる。
【００１５】
＜請求項５記載の発明＞
前記下層吸収体の幅方向中間部において、前記前上層吸収体と少なくとも一部が重なって、前後方向に延びるスリットを有する請求項１または２記載の使い捨て吸収性物品。
【００１６】
（作用効果）
下層吸収体にスリットを設けたことにより、下層吸収体に移行した尿を前身頃側から後身頃方向へ拡散することができる。その結果、尿の吸収量を最大限に発揮させることができる。
【発明の効果】
【００１７】
以上のとおり本発明によれば、着用者の下腹部の肌面と吸収体との離間を抑制でき、尿もれがしにくい使い捨て吸収性物品が提供される。
【図面の簡単な説明】
【００１８】
【図１】本発明にかかる第１実施例の使い捨て吸収性物品の平面図である。
【図２】本発明にかかる第２実施例の使い捨て吸収性物品の平面図である。
【図３】本発明にかかる使い捨て吸収性物品のギャザーの配置を示した平面図である。
【図４】図３の４−４の箇所の断面図である。
【図５】本発明にかかる第３実施例の使い捨て吸収性物品の平面図である。
【図６】本発明にかかる第３実施例の使い捨て吸収性物品の平面図である。
【図７】本発明にかかる第４実施例の使い捨て吸収性物品の平面図である。
【図８】本発明にかかる使い捨て吸収性物品の装着時の斜視図である。
【図９】本発明にかかる第５実施例の使い捨て吸収性物品の平面図である。
【発明を実施するための最良の形態】
【００１９】
以下、本発明の第１の実施の形態について添付図面を参照しながら詳説する。
【００２０】
図１は、本発明にかかる使い捨て吸収性物品の平面図である。
この使い捨て吸収性物品は、前側に位置する前身頃側と、後側に位置する後身頃側とで区画できる。
【００２１】
この使い捨て吸収性物品は、肌当接面に着用者の尿などの液体を透過する表面シート１と、前記肌当接面と反対の面に設けた液不透過性シート３と、前記表面シート１と前記液不透過性シート３の間に設けた吸収体４とからなる。
そして、この吸収体４は、液不透過性シート３側にある下層吸収体６と、表面シート１側にある上層吸収体５からなる。
この上層吸収体５は、図１のように前後方向中心側に窄まるほぼＶ字状に連続する壁部７を有し、この壁部７より前側に延びる、前上層吸収体５Ａを有する。
【００２２】
吸収体４の裏面側には、液不透過性シート３が設けられている。液不透過性シート３としては、ポリエチレンまたはポリプロピレンなどの液不透過性プラスチックシートが用いられるが、近年はムレ防止の点から透湿性を有するものが好適に用いられる。この液不透過性シート３は、たとえばポリエチレンやポリプロピレン等のオレフィン樹脂中に無機充填材を溶融混練してシートを形成した後、一軸または二軸方向に延伸することにより得られる微多孔性シートである。
【００２３】
吸収体４の表面側は、表面シート１により覆われている。表面シート１としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２４】
上層吸収体５および下層吸収体６としては、パルプ繊維の積繊体、セルロースアセテート等のフィラメントの集合体、あるいは不織布を基本とし、必要に応じて粒子状等の高吸収性ポリマーを混合、固着等してなるものを用いることができる。高吸収性ポリマー粒子を混合する場合等、必要に応じて、上層吸収体５および下層吸収体６はクレープ紙等の包装シート（図示せず）により包むことができる。
【００２５】
図２は、本発明の第２実施例にかかる使い捨て吸収性物品の平面図である。
前後方向中心側に窄まるほぼＶ字状またはＵ字状に連続する壁部７から、前側に延びる前上層吸収体５Ａと、前記壁部７から後側に延びる後上層吸収体５Ｂを有している。
【００２６】
このように、後上層吸収体５Ｂを設けることで、吸収容量の多いものとなり、長時間の使用に耐え得るものとなる。
この形態においては、後上層吸収体５Ｂが存在するとしても、前上層吸収体５Ａは後上層吸収体５Ｂと縁が切れているので、後上層吸収体５Ｂが両脚間で挟み込まれ、その挟み込みに伴う後上層吸収体５Ｂの変形が、前上層吸収体側５Ａに伝搬しないようになる。その結果、前上層吸収体５Ａは、ほぼその形状を保持しながら着用者の肌側に膨らむように変形するので、それらの間が離間することを抑制でき、体を横にしている場合における、腹側での尿もれを防止できるのである。
【００２７】
また、前上層吸収体５Ａは、ほぼＶ字状またはＵ字状をなしている。そして、Ｖ字またはＵ字で囲まれる内側の領域に下層吸収体６が位置している。
Ｖ字またはＵ字で囲まれる内側の領域（Ｚ領域）に下層吸収体６が位置していることで、着用時点では、Ｖ字またはＵ字で囲まれる内側の領域（Ｚ領域）の下層吸収体６が着用者の肌側に膨らむようになり、着用者の肌面と使い捨て吸収性物品の離間を抑制でき、尿もれがしにくくなる。
【００２８】
なお、壁部７の左右傾斜部は、実質的に着用者の左右鼠径部に対応する位置関係にするのが好ましい。壁部７の左右傾斜部が着用者の左右鼠径部に当接するため、着用者の肌面と使い捨て吸収性物品の密着性が向上し、尿もれがしにくくなるからである。
図２の壁部７の左右傾斜部の角度θは、着用者の左右鼠径部の角度に合わせるのが好ましいが、一般的に４５〜７５度とするのが好ましい。
【００２９】
次に、図３および図４を用いて、立体ギャザー１０および面立体ギャザー２０について説明する。
図３は、本発明にかかる使い捨て吸収性物品に立体ギャザー１０と面立体ギャザー２０を配置した平面図である。図４は、図３の平面図の４−４の箇所の断面図である。
【００３０】
本発明にかかる使い捨て吸収性物品の前側に位置する前身頃側Ｆと、後側に位置する後身頃側Ｂとに跨って縦方向に縦断するように糸ゴムＳを有する一対の立体ギャザー１０を配置している。
このように立体ギャザー１０を配置することで、立体ギャザー１０を着用者の肌と当接させることができ、尿などが使い捨て吸収性物品の横から漏れるのを防ぐことができる。
【００３１】
また、実施の形態においては、当該一対の立体ギャザー１０の横方向内側に更に細長状弾性部材Ｓを有する一対の面立体ギャザー２０を設けたことを特徴とする。当該一対の面立体ギャザー２０は、前記一対の立体ギャザー１０と略平行であることが好ましい。当該一対の面立体ギャザー２０は、前記一対の立体ギャザー１０の機能を補うものであるからである。この一対の面立体ギャザー２０により、装着時に面立体ギャザー２０が着用者の肌と当接し、尿などが使い捨て吸収性物品の横から漏れるのを防ぐことができる。
なお、図４のＨは、ホットメルト接着剤等により固定されている。
【００３２】
立体ギャザー１０および面立体ギャザー２０の素材としては、プラスチックシートやメルトブローン不織布を使用することもできるが、肌への感触性の点で、不織布にシリコンなどにより撥水処理をしたものが好適に使用される。
【００３３】
この細長状弾性部材Ｓとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３４】
図５は、第３実施例の本発明にかかる使い捨て吸収性物品の構造を示した平面図である。この第３実施例においては、上層吸収体５および下層吸収体６にポケットＰを設けたことを特徴とする。
なお、本発明における「ポケット」とは、「あえて吸収体を設けないようにした個所」のことをいい、衣服等に設けられる袋状の形態を指すものではないことを付言しておく。
【００３５】
男性が使い捨て吸収性物品を着用する場合には、陰茎により吸収体４と着用者の身体との間に隙間が生じやすい。そして、当該隙間の存在によって、使い捨て吸収性物品から尿が漏れだすという不都合が生じる。
そのため、本発明は図５に示すように上層吸収体５に着用者の陰茎に当接する吸収体を設けない箇所（第一ポケットＰ１）を設けた。この第一ポケットＰ１を設けた場合、前上層吸収体５Ａの形状がＵ字状となる。着用者の陰茎に当接する部分に当該第一ポケットＰ１を設けることで、着用者の陰茎と使い捨て吸収性物品の密着性が向上させることができる。よって、使い捨て吸収性物品から尿が漏れ出すのを防ぐことができる。
【００３６】
また、本発明は図６に示すように、前記第一ポケットＰ１の下層にある下層吸収体６に、着用者の陰茎と当接する部分に着用者の陰茎に当接する吸収体を設けない箇所（第二ポケットＰ２）を設けた。
第二ポケットＰ２を設けることにより、着用者の陰茎と使い捨て吸収性物品の密着性をさらに向上させることができ、使い捨て吸収性物品から尿が漏れ出すことをより防ぐことができる。
【００３７】
なお、図５および図６においては、第一ポケットＰ１と第二ポケットＰ２の形状が異なる例を示したが、第一ポケットＰ１と第二ポケットＰ２の形状を同じものにしても良い。また、第一ポケットＰ１の面積が、第二ポケットＰ２の面積よりも大きくなるようにしても良い。
【００３８】
第４実施例においては、図７で示すように、下層吸収体６の前胴周り域Ｆから後胴回り域Ｂへ向かってスリット８を設けている。このように、下層吸収体６にスリット８を設けたことにより、下層吸収体６に移行した尿を前身頃側から後身頃方向へ拡散することができる。その結果、尿の吸収量を最大限に発揮させることができるのである。
なお、図７においては、スリット８を設けた例を示したが、スリットの代わりにエンボスを設けても良い。
【００３９】
また、図７のスリット８は平面視で長方形状をしているが、本発明はこれに限定されるものではない。具体的には、前胴周り域から後胴回り域へ向かうようなスリット８であれば良く、波の形状、ジグザグの形状、円や楕円の形状等であっても良い。また、スリットは１本だけではなく、複数本設けてもよい。
【００４０】
図８は、本発明にかかる使い捨て吸収性物品の上層吸収体５の斜視図である。上層吸収体５は、前上層吸収体５Ａと後上層吸収体５Ｂとからなり、壁部７を有している。上層吸収体５は、山のように盛り上がった形状をしている。
【００４１】
図９は、本発明にかかる第５実施例にかかる使い捨て吸収性物品の図である。
図１や図２においては、前上層吸収体５Ａの形状が、二股に分かれるような形状をしている例を示したが、本発明はこれに限定されない。具体的には、図９のように、平面視で五角形状をしていてもよい。
【符号の説明】
【００４２】
１：表面シート、３：液不透過性シート、４：吸収体、５：上層吸収体、５Ａ：前上層吸収体、５Ｂ：後上層吸収体、６：下層吸収体、７：壁部、８：スリット、１０：立体ギャザー、２０：面立体ギャザー、Ｓ：細長状弾性部材、Ｈ：ホットメルト
【図１】
0005950371.tif 000002
【図２】
0005950371.tif 000003
【図３】
0005950371.tif 000004
【図４】
0005950371.tif 000005
【図５】
0005950371.tif 000006
【図６】
0005950371.tif 000007
【図７】
0005950371.tif 000008
【図８】
0005950371.tif 000009
【図９】
0005950371.tif 000010